(57)【要約】【課題】ベルトを付け替えるだけで、収容本体を胸部で保持するチェストバッグまたは収容本体を大腿部で保持するレッグバッグに使用態様を変更する。【解決手段】収容本体１２の第２取付部２０に第１ベルト３０を挿通したもとで、第２ベルト４０のリング部材４４を収容本体１２の第１取付部１６に取付ける。第２ベルト４０の第３取付部４６を第１ベルト３０に取付けることで、収容本体１２を第２ベルト４０により肩から吊下げた状態で使用者の胸部で保持することができる。または第１取付部１６に第１ベルト３０を挿通すると共に、第２取付部２０に第２ベルト４０を挿通する。第２ベルト４０を使用者の大腿部に巻付けてリング部材４４に第３取付部４６を取付けることで、収容本体１２を第１ベルト３０から吊下げた状態で使用者の大腿部で保持することができる。【選択図】図１
0003111205.tif 000002
【実用新案登録請求の範囲】
【請求項１】
物品を収容する収容本体(12)と、
前記収容本体(12)の上側に設けた第１取付部(16)と、
前記収容本体(12)の下側に設けた第２取付部(20)と、
その端部同士をバックル(B)により係脱可能に連結して腰部に巻付ける第１ベルト(30)と、
前記第１取付部(16)に着脱可能に保持される被取付部(44)を一端に有すると共に、該被取付部(44)または前記第１ベルト(30)を着脱可能に保持する第３取付部(46)を他端に有する第２ベルト(40)とからなり、
前記第２取付部(20)を前記第１ベルト(30)に取付けたもとで、前記被取付部(44)に第１取付部(16)を取付けると共に、前記第３取付部(46)を該第１ベルト(30)に取付けることで、前記収容本体(12)を第２ベルト(40)により肩から吊下げた状態で使用者の胸部で保持し、
または前記第１取付部(16)を前記第１ベルト(30)に取付けると共に、前記第２取付部(20)を第２ベルト(40)に取付けた状態で、該第２ベルト(40)を使用者の大腿部に巻付けて前記被取付部(44)に第３取付部(46)を取付けることで、前記収容本体(12)を第１ベルト(30)から吊下げた状態で使用者の大腿部で保持し得るよう構成した
ことを特徴とするバッグ。
【請求項２】
一対の収容本体(12,12)を備え、各収容本体(12)に対応して第２ベルト(40)を夫々有している請求項１記載のバッグ。
【請求項３】
前記第１ベルト(30)には、前記第１取付部(16)または第３取付部(46)の挿通を許容する規制部(36)が、該第１ベルト(30)の長手方向に並列に複数形成され、規制部(36)に挿通した第１取付部(16)または第３取付部(46)の第１ベルト(30)の長手方向に沿った移動を規制し得るよう構成される請求項１または２記載のバッグ。
【請求項４】
前記第１ベルト(30)には、前記第２取付部(20)に当接して、前記収容本体(12)における該第１ベルト(30)の長手方向に沿った移動を規制する係止片(38)が形成されている請求項１〜３の何れかに記載のバッグ。
【請求項５】
前記取付部(16,20,46)は、常には閉成したループ(18a,22a,46a)を形成し、必要に応じて該ループ(18a,22a,46a)の閉成状態を解除し得るように形成されている請求項１〜４の何れかに記載のバッグ。
【考案の詳細な説明】
【技術分野】
【０００１】
この考案は、携行品を収容するバッグに関するものである。
【背景技術】
【０００２】
携帯電話や財布等の携行品を、両手を空けた状態で携行するためのバッグとしては、携行品を収容するポケットを備えた収容本体を胸部で保持する、所謂チェストバッグと呼ばれるものがある(特許文献１参照)。特許文献１に開示されたバッグは、肩ベルトで肩から吊下げて収容本体を胸部に位置させるから、収容本体が背中に位置するために携行品の取出しに際して下ろす必要があるリュックサックと比較して携行品を取出し易い利点がある。
【０００３】
また特許文献２に示すように、大腿部に収容本体を保持する、所謂レッグバッグが提案されている。このレッグバッグは、腰部に巻付けたウェストベルトから収容本体を吊下げると共に、大腿部に巻付けた別のベルトで収容本体の下部を固定するようになっている。このようなレッグバッグは、オートバイの運転中等の着座姿勢において、携行品を出し入れし易い利点がある。
【特許文献１】特開２００４−２０９０５２号公報
【特許文献２】特開２００４−２０９００７号公報
【考案の開示】
【考案が解決しようとする課題】
【０００４】
ところで、チェストバッグやレッグバッグは、夫々前述した利点があるものの、各ベルトは肩や腰や大腿部に合わせた専用のものであるから、使用者の使用態様に応じて、バッグの収容本体を保持する部位を変更することができない難点が指摘される。
【０００５】
すなわち本考案は、従来の技術に係るバッグに内在する前記問題に鑑み、これらを好適に解決するべく提案されたものであって、ベルトを付け替えるだけで、収容本体を胸部で保持するチェストバッグまたは収容本体を大腿部で保持するレッグバッグに使用態様を変更し得るバッグを提供することを目的とする。
【課題を解決するための手段】
【０００６】
前記課題を克服し、所期の目的を達成するため、本考案に係るバッグは、
物品を収容する収容本体と、
前記収容本体の上側に設けた第１取付部と、
前記収容本体の下側に設けた第２取付部と、
その端部同士をバックルにより係脱可能に連結して腰部に巻付ける第１ベルトと、
前記第１取付部に着脱可能に保持される被取付部を一端に有すると共に、該被取付部または前記第１ベルトを着脱可能に保持する第３取付部を他端に有する第２ベルトとからなり、
前記第２取付部を前記第１ベルトに取付けたもとで、前記被取付部に第１取付部を取付けると共に、前記第３取付部を該第１ベルトに取付けることで、前記収容本体を第２ベルトにより肩から吊下げた状態で使用者の胸部で保持し、
または前記第１取付部を前記第１ベルトに取付けると共に、前記第２取付部を第２ベルトに取付けた状態で、該第２ベルトを使用者の大腿部に巻付けて前記被取付部に第３取付部を取付けることで、前記収容本体を第１ベルトから吊下げた状態で使用者の大腿部で保持し得るよう構成したことを特徴とする。
請求項１の考案によれば、収容本体の第１取付部および第２取付部に対して、第１ベルトおよび第２ベルトの取付け状態を変えることで、収容本体を第２ベルトにより肩から吊下げた状態で使用者の胸部で保持する態様と、収容本体を第１ベルトから吊下げた状態で使用者の大腿部で保持する態様とを選択し得る。
【０００７】
請求項２の考案は、請求項１記載の考案に係るバッグにおいて、一対の収容本体を備え、各収容本体に対応して第２ベルトを夫々有している。
請求項２の考案によれば、一対の収容本体を備えているから、物品の収容量を増やすことができる。
【０００８】
請求項３の考案は、請求項１または２記載の考案に係るバッグにおいて、前記第１ベルトには、前記第１取付部または第３取付部の挿通を許容する規制部が、該第１ベルトの長手方向に並列に複数形成され、規制部に挿通した第１取付部または第３取付部における第１ベルトの長手方向に沿った移動を規制し得るよう構成される。
請求項３の考案によれば、規制部に挿通した第１取付部または第３取付部における第１ベルトの長手方向に沿った移動を規制し得るから、収容本体または第２ベルトのずれを防止できる。
【０００９】
請求項４の考案は、請求項１〜３の何れかに記載の考案に係るバッグにおいて、前記第１ベルトには、前記第２取付部に当接して、前記収容本体における該第１ベルトの長手方向に沿った移動を規制する係止片が形成される。
請求項４の考案によれば、係止片により第２取付部の移動を規制し得るから、収容本体のずれを防止できる。
【００１０】
請求項５の考案は、請求項１〜４の何れかに記載の考案に係るバッグにおいて、前記取付部は、常には閉成したループを形成し、必要に応じて該ループの閉成状態を解除し得るように形成される。
請求項５の考案によれば、取付部における閉成状態のループに、被取付部、第１ベルトおよび第２ベルトを挿通することで、被取付部、第１ベルトおよび第２ベルトを取付けることができると共に、ループの閉成状態を解除することで簡単に取外し得る。
【考案の効果】
【００１１】
本考案に係るバッグによれば、ベルトを収容本体に対して付け替えるだけで、収容本体を胸部で保持するチェストバッグまたは収容本体を大腿部で保持するレッグバッグに使用態様を簡単に変更することができる。
【考案を実施するための最良の形態】
【００１２】
次に、本考案に係るバッグにつき、好適な実施例を挙げて、添付図面を参照して以下に説明する。
【実施例】
【００１３】
図１または図２に示すように、実施例に係るバッグ１０は、一対の収容本体１２,１２と、腰部に巻付ける第１ベルト３０と、各収容本体１２に対応する第２ベルト４０とから基本的に構成される。このバッグ１０は、一対の第２ベルト４０,４０により肩から吊下げて使用者の胸部で両収容本体１２,１２を保持するチェストバッグ(図１参照)と、第１ベルト３０から吊下げて大腿部で各収容本体１２を保持するレッグバッグ(図２参照)とに使用態様を変更し得るようになっている。
【００１４】
前記収容本体１２は、その意匠面となる前面側に携帯電話や財布等の携行品(物品)の出し入れ口となる開口部を設けた袋状のポケット１４を複数備え、このポケット１４に携行品が収容される。ポケット１４の開口部は、ファスナー１４ａやフラップ１４ｂ等で開閉自在に閉成し得るよう構成され、ポケット１４に収容した携行品が不用意に飛び出さないようになっている。なお各収容本体１２は、胸部または大腿部に当接する面となる後面側が、メッシュ地の通気性に優れた素材で形成されている。
【００１５】
前記各収容本体１２には、その上側に第１取付部１６が設けられると共に、下側に幅方向に離間して一対の第２取付部２０,２０が設けられている。第１取付部１６は、下端を収容本体１２の上部に固定した帯状体１８を本体とし、上方に延出した開放端(上端)近傍にスナップボタンＳのソケットＳ１が配設されると共に、帯状体１８の中間部に上下(長手方向に沿った方向)に離間してスナップボタンＳのスタッドＳ２が２つ配設されている。第１取付部１６は、帯状体１８の上端を下方に折り返してソケットＳ１とスタッドＳ２とを着脱可能に嵌合することで、常には閉成したループ１８ａが形成され、スタッドＳ２からソケットＳ１を取外すことで必要に応じてループ１８ａの閉成状態を解除し得るように構成されている。ここで、第１取付部１６における帯状体１８のなすループ１８ａの大きさは、第１ベルト３０の挿通を許容する寸法に設定される。そして、第１取付部１６のループ１８ａに第１ベルト３０を挿通することで、第１ベルト３０に第１取付部１６が掛止した状態で取付けられる。或いは、第２ベルト４０のリング部材(被取付部)４４に、第１取付部１６の帯状体１８を挿通してループ１８ａを閉成することで、ループ１８ａにリング部材４４を掛止した状態で取付けられる。なお第１取付部１６は、上下に離間したスタッドＳ２,Ｓ２の何れかを選択してソケットＳ１を嵌合することで、帯状体１８のなすループ１８ａの大きさを適宜変更し得るようになっている。
【００１６】
第２取付部２０は、上端を収容本体１２の下部に固定し、下方に延出した開放端(下端)近傍にスナップボタンＳのソケットＳ１を配設した第１帯状体２２Ａと、この第１帯状体２２Ａより長尺に設定され、上端を収容本体１２の下部に固定し、下方に延出した開放端(下端)近傍にスナップボタンＳのスタッドＳ２を配設した第２帯状体２２Ｂとから構成される(図３参照)。第２取付部２０は、第２帯状体２２Ｂの下端を上方に折り返してソケットＳ１とスタッドＳ２とを着脱可能に嵌合することで、両帯状体２２Ａ,２２Ｂで常には閉成すると共に、必要に応じて開放し得るループ２２ａが形成されている。なお、両帯状体２２Ａ,２２Ｂのなすループ２２ａの大きさは、第１ベルト３０または第２ベルト４０の挿通を許容する寸法に設定される。そして、第２取付部２０のループ２２ａに第１ベルト３０または第２ベルト４０を挿通することで、第１ベルト３０に第２取付部２０が掛止した状態で取付けられ、或いは第２ベルト４０に第２取付部２０が掛止した状態で取付けられる。
【００１７】
図３に示すように、第１ベルト３０は、帯本体３２の一端にバックルＢのソケットＢ１が配設されると共に、他端にバックルＢのプラグＢ２が配設され、ソケットＢ１とプラグＢ２とを係脱可能に嵌合して連結することで、使用者の腰部に巻付けられるウェストベルトとして機能する。第１ベルト３０は、その帯本体３２の一部に、この帯本体３２の長さより短尺な別の帯体３４を表側に重ねることで２重に構成され、帯本体３２と帯体３４とは所定間隔で短手方向に沿って縫合され、隣り合う縫合部３４ａの間に規制部３６が形成されている。この規制部３６は、第１ベルト３０の長手方向に所定間隔で並列に複数形成され、帯本体３２と帯体３４との間における第１取付部１６または第３取付部４６の短手方向に沿った挿通が許容される。また、規制部３６に挿通した第１取付部１６または第３取付部４６は、第１ベルト３０の長手方向に沿った移動が隣り合う縫合部３４ａに当接することで規制される。
【００１８】
第１ベルト３０には、帯体３４の各端部が対応する帯本体３２の端部に指向して帯本体３２から突出され、チェストバッグとしての使用態様において対応の収容本体１２における第２取付部２０に当接する係止片３８,３８が形成されている。各係止片３８は、帯本体３２の各端部から所定間隔離間した位置に設けられ、チェストバッグとしての使用態様において帯本体３２の各端部と係止片３８との間に配置した第２取付部２０は、係止片３８により対応の端部から離間する方向(第１ベルト３０の長手方向)への移動が規制される。第１ベルト３０は、チェストバッグとしての使用態様において、収容本体１２の下部に形成した各第２取付部２０のループ２２ａに挿通されて、収容本体１２の下部を保持している。これに対して、第１ベルト３０はレッグバッグとしての使用態様において、収容本体１２の上部に形成した第１取付部１６のループ１８ａに挿通されて、収容本体１２を第１ベルト３０に掛止して吊下げ保持し得るようになっている。なお実施例では、バックルＢが、チェストバッグとしての使用態様において使用者の腹部側に位置し、レッグバッグとしての使用態様において背中側に位置するように設定される。またバックルＢは、帯本体３２の長さを調節するアジャスターとしての機能も有し、使用者の腰部に合わせて適宜調節することができる。
【００１９】
前記第２ベルト４０は、帯本体４２の一端にリング部材４４が固定されると共に、他端に第３取付部４６を備えている。リング部材４４は、環状に形成された合成樹脂等の成形品であって、第１取付部１６の帯状体１８および第２ベルト４０の帯本体４２を挿通し得る寸法に設定される。第２ベルト４０には、帯本体４２の他端近傍にスナップボタンＳのソケットＳ１が配設されると共に、帯本体４２の他端から一端側へ所定間隔離間した位置にスナップボタンＳのスタッドＳ２が配設されている(図２または図３参照)。そして、帯本体４２の他端を、一端に向けて折り返してソケットＳ１とスタッドＳ２とを着脱自在に嵌合することで、常には閉成したループ４６ａをなす第３取付部４６が第２ベルト４０の他端に形成される。また第３取付部４６は、スタッドＳ２からソケットＳ１を取外すことで必要に応じてループ４６ａの閉成状態を解除し得るように構成される。ここで、第３取付部４６におけるループ４６ａの大きさは、第１ベルト３０の挿通を許容する寸法に設定される。
【００２０】
そして、第３取付部４６のループ４６ａに第１ベルト３０を挿通することで、第２ベルト４０の他端が第１ベルト３０に第３取付部４６を介して掛止した状態で取付けられる。或いは、リング部材４４に帯本体４２の他端を挿通した後、第３取付部４６のループ４６ａを閉成してリング部材４４に第３取付部４６を掛止することで、第２ベルト４０を開閉可能なループ状とすることができる。すなわち第２ベルト４０は、チェストバッグの使用態様では収容本体１２を肩から吊下げる肩ベルトとして用いられ、レッグバッグの使用態様では大腿部に巻付けて収容本体１２の下部を保持するベルトに転用し得るよう構成される。また各第２ベルト４０には、帯本体４２の中途にアジャスター４８が夫々介挿され、第２ベルト４０の長さを適宜調節し得るようになっている。なお第２ベルト４０には、チェストバッグの使用態様において、使用者の肩に当接する部位にクッション部材４０ａが配設されている。
【００２１】
実施例のバッグ１０では、チェストバッグとしての使用態様において、幅方向に離間して配置された一対の収容本体１２,１２を、バックルＢにより係脱可能な連結片２４,２４により連結している(図１参照)。各連結片２４は、収容本体１２における他方の収容本体１２に臨む側縁から突出した帯片であって、開放端にバックルＢのソケットＢ１が配設されている。この連結片２４に対応する他方の収容本体１２の連結片２４には、その開放端にバックルＢのプラグＢ２が配設され、ソケットＢ１とプラグＢ２とを嵌合することで、一対の収容本体１２,１２が互いに離間する方向への移動が規制される。なお連結片２４は、各収容本体１２の側縁において上下に離間して２つ設けられている。  
【００２２】
また実施例のバッグ１０には、チェストバッグとしての使用態様において、一対の第２ベルト４０,４０における使用者の背中上部に延在する部位に、両第２ベルト４０,４０を連結する連繋部材２６が配設されている。この連繋部材２６は、両端に各第２ベルト４０の挿通を許容する孔部２６ａ,２６ａを形成した帯状体であって、略平行に延在する両第２ベルト４０,４０を孔部２６ａ,２６ａに挿通することで、両第２ベルト４０,４０が互いに離間する方向へ移動するのが規制される。
【００２３】
〔実施例の作用〕
次に、実施例に係るバッグの作用について、先ずバッグ１０をチェストバッグとして使用する態様の場合で説明する。なお、各収容本体１２に対する各ベルト３０,４０の取付けは、何れも同じであるから片側のみ説明する。第１ベルト３０を、バックルＢを取外して端部同士の連結状態を解除した状態で、収容本体１２における両第２取付部２０,２０の閉成したループ２２ａ,２２ａに挿通して、両第２取付部２０,２０を第１ベルト３０の一端と一方の係止片３８との間に配置する。また、他方の収容本体１２は、両第２取付部２０,２０を第１ベルト３０の他端と他方の係止片３８との間に配置する。
【００２４】
第１取付部１６のスナップボタンＳを外してループ１８ａを開放した状態で、帯状体１８を第２ベルト４０のリング部材４４に挿通させた後、スナップボタンＳを嵌合して、帯状体１８のなすループ１８ａにリング部材４４を掛止することで、第１取付部１６に第２ベルト４０の一端が取付けられる。また、第３取付部４６のスナップボタンＳを外してループ４６ａを開放した状態で、第２ベルト４０の他端を、連繋部材２６の一方の孔部２６ａに挿通させる。そして、第２ベルト４０における帯本体４２の他端を、第１ベルト３０の規制部３６に対して上方から第１ベルト３０の短辺方向に沿って挿入すると共に、規制部３６の下方に突出した帯本体４２を折返してスナップボタンＳを嵌合させることで、第１ベルト３０が第３取付部４６のループ４６ａに掛止される。すなわち、第２ベルト４０の他端は、第３取付部４６を介して第１ベルト３０に取付けられる。このとき第３取付部４６は、第１ベルト３０における帯本体３２の略中間部(使用者の背中側に当たる位置)に配置される。
【００２５】
そして、第１ベルト３０を腰部に巻付けると共に、第１ベルト３０に掛止された一方の収容本体１２および第２ベルト４０で構成された環の中に一方の腕を通して、第２ベルト４０を一方の肩に掛けることで、収容本体１２を第２ベルト４０により肩から吊下げた状態で使用者の一方の胸部で保持することができる。同様に、他方の収容本体１２および第２ベルト４０で構成された環の中に他方の腕を通して、第２ベルト４０を他方の肩に掛けることで、収容本体１２を第２ベルト４０により肩から吊下げた状態で使用者の他方の胸部で保持することができる。最後に、使用者の腹部側で第１ベルト３０の端部同士をバックルＢで連結すると共に、一対の収容本体１２,１２の対応する連結片２４,２４同士をバックルＢで連結することで、バッグ１０が使用者に装着される。第２ベルト４０は、アジャスター４８で長さを調節することで、使用者に合わせて収容本体１２の位置を調節することができる。
【００２６】
前記バッグ１０は、チェストバッグとしての使用態様において、各第２ベルト４０の第３取付部４６が第１ベルト３０の規制部３６により位置規制されるから、第２ベルト４０が第１ベルト３０の長手方向へ移動するのを防止し得る。しかも、規制部３６は第１ベルト３０の長手方向に並列で複数形成されているから、使用者に合わせて適宜調節することができる。また、両第２ベルト４０,４０は、使用者の背中上部で連繋部材２６で互いに連結されているから、互いに離間する方向への移動は規制され得る。更に、一対の収容本体１２,１２は、連結片２４,２４で連結することで、互いに離間する方向への移動を規制し得ると共に、第１ベルト３０を保持した第２取付部２０が対応の係止片３８に当接することで、互いに離間する方向(第１ベルト３０の端部から離間する方向)への移動を規制し得る。すなわちバッグ１０は、規制部３６,連繋部材２６,連結片２４,２４および係止片３８によって、第２ベルト４０または収容本体１２が使用者の肩から外れる方向への移動を防止し得るから、例えばスキー等の運動に際してもずれにくく良好な装着性を示す。しかも各収容本体１２は、その下部を第２取付部２０,２０を介して腰部に巻付けた第１ベルト３０に掛止されているので、収容本体１２の上下動が抑制され、バッグ１０の装着性が更に向上される。
【００２７】
次に、バッグ１０において、チェストバッグからレッグバッグに使用態様を変更する場合について説明する。なお、各収容本体１２に対する各ベルト３０,４０の取付けおよび取外しは、何れも同じであるから片側のみ説明する。連結片２４,２４の連結状態が解除されたもとで、第１取付部１６および第３取付部４６のスナップボタンＳを取外すことで、第１取付部１６および第３取付部４６のループ１８ａ,４６ａの閉成状態を解除し、第２ベルト４０の一端を収容本体１２から取外すと共に、他端を第１ベルト３０から取外して、第２ベルト４０を分離する。このとき、連繋部材２６から第２ベルト４０を抜出す。また、第１ベルト３０におけるバックルＢでの連結状態を解除して、収容本体１２の第２取付部２０,２０から引抜き、収容本体１２から第１ベルト３０を分離する。
【００２８】
そして、収容本体１２の第１取付部１６を、第１ベルト３０の規制部３６に下方から第１ベルト３０の短辺方向に沿って挿入すると共に、規制部３６の上方に突出した帯状体１８を折返してスナップボタンＳを嵌合させることで、第１ベルト３０が第１取付部１６のループ１８ａに掛止される。すなわち、収容本体１２は、第１取付部１６を介して第１ベルト３０に取付けられ、第１ベルト３０から吊下げられた状態となる。第２ベルト４０を、第２取付部２０,２０の閉成したループ２２ａ,２２ａに挿通して、収容本体１２に第２ベルト４０を取付ける。
【００２９】
次に、第１ベルト３０を使用者の腰部に巻付け、バックルＢを嵌合して装着することで、第１ベルト３０から吊下がった収容本体１２を大腿部に位置させる。第２ベルト４０を膝上部分に巻付けると共に、第３取付部４６のスナップボタンＳを外してループ４６ａを開放した状態で、第２ベルト４０の他端をリング部材４４に挿通させる。この状態において、第３取付部４６のスナップボタンＳを嵌合してループ４６ａを閉成することで、第３取付部４６とリング部材４４とが掛止されて、第２ベルト４０が使用者の脚部に装着され、収容本体１２を第１ベルト３０から吊下げた状態で大腿部で保持し得る。大腿部に巻付けた第２ベルト４０は、アジャスター４８で長さを調節することで、使用者の大腿部に合わせて装着され、収容本体１２を確実に保持することができる。なお、レッグバッグからチェストバッグに使用態様を変更する場合は、逆の手順で行なう。
【００３０】
このように、実施例のバッグ１０は、各収容本体１２に対して第１ベルト３０および第２ベルト４０を組み替えるだけで、チェストバッグからレッグバッグへ、または反対にレッグバッグからチェストバッグに簡単に変更することができる。しかも、使用態様の変更に際して、第１ベルト３０は常に腰部に装着されると共に、第２ベルト４０を肩ベルトまたは大腿部に巻付けるベルトに転用し得るから、チェストバッグまたはレッグバッグごとに専用のベルトを用意する必要がない。
【００３１】
前記バッグ１０は、レックバッグの使用態様において、収容本体１２の下部は第２ベルト４０で保持されると共に、第１取付部１６が第１ベルト３０の規制部３６により位置規制されるから、第２ベルト４０が第１ベルト３０の長手方向へ移動するのを防止し得るので、収容本体１２がずれにくく良好な装着性を示す。また、実施例のバッグ１０では、収容本体１２を一対としているから、携行品を多く携行し得ると共に、何れの使用態様においても体の左右に振分けてバランスよく携行品を収容し得る。
【００３２】
(変更例)  
実施例のバッグは、以下のように変更することができる。
(１)実施例のバッグでは、収容本体を一対としたが、収容本体は１つだけであってもよい。
(２)各取付部は、帯状体(帯本体)に設けたスナップボタンを着脱することで開閉可能なループをなす構成であるが、これに限定されず、バックルやその他の手段を用いて開閉可能なループを形成してもよい。
(３)実施例の第２ベルトには、被取付部としてリング部材を用いたが、第２ベルトの一端近傍に、第１取付部または第３取付部の挿通を許容する孔部を開設する構成も採用し得る。
【図面の簡単な説明】
【００３３】
【図１】本考案の好適な実施例に係るバッグにおけるチェストバッグとしての使用態様を示す概略正面図である。
【図２】実施例のバッグにおけるレッグバッグとしての使用態様を示す概略正面図である。
【図３】実施例の第１ベルトを拡大して示す正面図である。
【符号の説明】
【００３４】
１２ 収容本体，１８ 第１取付部，１８ａ ループ，２０ 第２取付部，２２ａ ループ
３０ 第１ベルト，３６ 規制部，３８ 係止片，４４ リング部材(被取付部)
４６ 第３取付部，４０ 第２ベルト，４６ａ ループ，Ｂ バックル
【図１】
0003111205.tif 000003
【図２】
0003111205.tif 000004
【図３】
0003111205.tif 000005